(57)【要約】【課題】取引の種類によって画面に表示される取引内容の摘要文を変える仕組みを提供する。利用者が入力した適用文を保存する仕組みを提供し、利用者へのサービス向上を図る。【解決手段】現金自動取引装置で現金の引き出しを行う際に、取引形態を選択し、選択した取引形態に対応付けて記憶されている摘要文を表示し、該摘要文を通帳に印字する。利用者の所望の摘要文が表示されないは任意の摘要文の入力を受け付け印字し、入力された摘要文を外部装置において記憶管理させ、利用者が再度取引を行う際に表示させる。【選択図】図３
2010134819.tif 000002
【特許請求の範囲】
【請求項１】
サーバと通信可能であり、複数の取引形態を利用可能な取引装置において、
利用者による操作部への入力から取引形態の選択を受け付ける受付手段と、
前記受付手段によって受け付けた取引形態を示す情報を前記サーバに送信する送信手段と、
前記送信手段で送信した取引形態を示す情報に応じて、前記サーバより抽出された前記取引形態に対応する摘要文を受信する受信手段と、
前記受信手段によって受信した摘要文の一覧を利用者に選択可能に表示させる表示制御手段と、
前記表示制御手段によって表示された前記摘要文の一覧の中から選択された１つの摘要文を通帳に印字する印字手段と
を備えることを特徴とする取引装置。
【請求項２】
利用者によって新規に入力される摘要文を受け付ける任意入力手段と、
前記任意入力手段によって入力された摘要文を前記サーバにおいて前記利用者の口座と対応付けて記憶させるための登録要求を送信する登録要求手段とを更に備え、
前記表示制御手段は、前記利用者が前記取引形態を再び利用する際に前記登録要求手段による登録要求に従って前記サーバに記憶された摘要文を表示させることを特徴とする請求項１に記載の取引装置。
【請求項３】
取引当日の日付を取得する取得手段と更に備え、
前記取得手段によって得られた日付のうち、前記受信手段は表示可能な該取引形態に対応する摘要文を受信することを特徴とする請求項１または２に記載の取引装置。
【請求項４】
複数の取引形態を利用可能な取引装置であって、
利用者による操作部への入力から取引形態の選択を受け付ける受付手段と、
取引形態に対応する摘要文を記憶部に記憶する記憶手段と、
前記受付手段によって受け付けた取引形態に対応する、前記記憶手段によって記憶された摘要文を記憶部より抽出する抽出手段と、
前記抽出手段によって抽出された摘要文を利用者に選択可能に表示させる選択手段と、
前記選択手段によって選択された摘要文を通帳に印字する印字手段と
を備えることを特徴とする取引装置。
【請求項５】
サーバと通信可能であり、複数の取引形態を利用可能な取引装置における制御方法であって、
前記取引装置の受付手段が、利用者による操作部への入力から取引形態の選択を受け付ける受付ステップと、
前記取引装置の送信手段が、前記受付ステップによって受け付けた取引形態を前記サーバに送信する送信ステップと、
前記取引装置の受信手段が、前記送信ステップで送信した取引形態を示す情報に応じて、前記サーバより抽出された前記取引形態に対応する摘要文を受信する受信ステップと、
前記取引装置の表示制御手段が、前記受信ステップによって受信した摘要文の一覧を利用者に選択可能に表示させる表示制御ステップと、
前記取引装置の印字手段が、前記表示制御ステップによって表示された前記摘要文の一覧の中から選択された１つの摘要文を通帳に印字する印字ステップと
を実行することを特徴とする取引装置における制御方法。
【請求項６】
複数の取引形態を利用可能な取引装置における制御方法であって、
前記取引装置の受付手段が、利用者による操作部への入力から取引形態の選択を受け付ける受付ステップと、
前記取引装置の記憶手段が、取引形態に対応する摘要文を記憶部に記憶する記憶ステップと、
前記取引装置の抽出手段が、前記受付ステップによって受け付けた取引形態に対応する、前記記憶ステップによって記憶された摘要文を記憶部より抽出する抽出ステップと、
前記取引装置の選択手段が、前記抽出ステップによって抽出された摘要文を利用者に選択可能に表示させる選択ステップと、
前記取引装置の印字手段が、前記選択ステップによって選択された摘要文を通帳に印字する印字ステップと
を実行することを特徴とする取引装置における制御方法。
【請求項７】
サーバと通信可能であり、複数の取引形態を利用可能な取引装置を、
利用者による操作部への入力から取引形態の選択を受け付ける受付手段と、
前記受付手段によって受け付けた取引形態を示す情報を前記サーバに送信する送信手段と、
前記送信手段で送信した取引形態を示す情報に応じて、前記サーバより抽出された前記取引形態に対応する摘要文を受信する受信手段と、
前記受信手段によって受信した摘要文の一覧を利用者に選択可能に表示させる表示制御手段と、
前記表示制御手段によって表示された前記摘要文の一覧の中から選択された１つの摘要文を通帳に印字する印字手段として機能させるためのプログラム。
【請求項８】
複数の取引形態を利用可能な取引装置を、
利用者による操作部への入力から取引形態の選択を受け付ける受付手段と、
取引形態に対応する摘要文を記憶部に記憶する記憶手段と、
前記受付手段によって受け付けた取引形態に対応する、前記記憶手段によって記憶された摘要文を記憶部より抽出する抽出手段と、
前記抽出手段によって抽出された摘要文を利用者に選択可能に表示させる選択手段と、
前記選択手段によって選択された摘要文を通帳に印字する印字手段として機能させるためのプログラム。
【請求項９】
サーバと取引装置とが相互に通信可能な、取引システムにおいて、
前記サーバは、
取引形態に対応する摘要文を記憶部に記憶する記憶手段と、
前記記憶手段によって記憶された、前記取引装置より送信される取引形態を示す情報に対応する摘要文を記憶部より抽出する抽出手段と、
前記抽出手段によって抽出された摘要文を前記取引装置へ送信する摘要文送信手段とを備え、
前記取引装置は、
利用者による操作部への入力から取引形態の選択を受け付ける受付手段と、
前記受付手段によって受け付けた取引形態を示す情報をサーバに送信する送信手段と、
前記送信手段で送信した取引形態を示す情報に応じて、前記サーバより抽出された前記取引形態に対応する摘要文を受信する受信手段と、
前記受信手段によって受信した摘要文の一覧を利用者に選択可能に表示させる表示制御手段と、
前記表示制御手段によって表示された前記摘要文の一覧の中から選択された１つの摘要文を通帳に印字する印字手段と
を備えることを特徴とする取引システム。
【発明の詳細な説明】
【技術分野】
【０００１】
本発明は、タッチパネル機能・通帳印字機能を有する現金自動取引装置に関する。
【背景技術】
【０００２】
従来、現金自動取引装置を使用した通帳記入する取引では、通帳摘要欄の印字は上位装置から送信した内容を印字しており、利用者が入力する手段がなかった。
【０００３】
特許文献1には、現金自動取引装置から利用者が画面に表示された内容より選択または入力することより通帳摘要欄に利用者が希望する内容を印字することが可能なシステムが開示されている。
【特許文献１】特開平１０−６９５６５号公報
【発明の開示】
【発明が解決しようとする課題】
【０００４】
しかしながら、従来技術（特許文献１）は、定型の摘要文のみを表示するものであり、複数の取引形態が利用可能な現金自動取引装置がある場合、取引形態に応じて画面に表示される摘要文の内容を変える機能はない。例えば、新券を発券する取引形態が可能な現金自動取引装置において利用者が新券を発行する際に、適切な摘要文を表示することができない。
【０００５】
また、従来技術（特許文献１）では、利用者に任意の摘要文を入力させる技術が開示されているが、利用者が入力した摘要文を保存する機能はないため、利用者はその都度使用する摘要文を入力する必要がある。
【０００６】
従来技術のような使用形態では、取引の際に定型の摘要文を一度に表示してしまうため、選択項目が増え、利用者による摘要文の選択操作を非常に煩雑なものにしてしまうという問題がある。
【０００７】
そこで、本発明は、取引形態に応じて画面に表示される摘要文の内容を変える発明を提供することを目的とする。また、利用者が入力した適用文を保存する仕組みを提供し、利用者へのサービス向上を図ることを目的とする。
【課題を解決するための手段】
【０００８】
本発明は、サーバと通信可能であり、複数の取引形態を利用可能な取引装置において、利用者による操作部への入力から取引形態の選択を受け付ける受付手段と、前記受付手段によって受け付けた取引形態を示す情報を前記サーバに送信する送信手段と、前記送信手段で送信した取引形態を示す情報に応じて、前記サーバより抽出された前記取引形態に対応する摘要文を受信する受信手段と、前記受信手段によって受信した摘要文の一覧を利用者に選択可能に表示させる表示制御手段と、前記表示制御手段によって表示された前記摘要文の一覧の中から選択された１つの摘要文を通帳に印字する印字手段とを備えることを特徴とする。
【０００９】
また、本発明は、利用者によって新規に入力される摘要文を受け付ける任意入力手段と、前記任意入力手段によって入力された摘要文を前記サーバにおいて前記利用者の口座と対応付けて記憶させるための登録要求を送信する登録要求手段とを更に備え、前記表示制御手段は、前記利用者が前記取引形態を再び利用する際に前記登録要求手段による登録要求に従って前記サーバに記憶された摘要文を表示させることを特徴とする。
【００１０】
また、本発明は、取引当日の日付を取得する取得手段と更に備え、前記取得手段によって得られた日付のうち、前記受信手段は表示可能な該取引形態に対応する摘要文を受信することを特徴とする。
【００１１】
また、本発明は、複数の取引形態を利用可能な取引装置であって、利用者による操作部への入力から取引形態の選択を受け付ける受付手段と、取引形態に対応する摘要文を記憶部に記憶する記憶手段と、前記受付手段によって受け付けた取引形態に対応する、前記記憶手段によって記憶された摘要文を記憶部より抽出する抽出手段と、前記抽出手段によって抽出された摘要文を利用者に選択可能に表示させる選択手段と、前記選択手段によって選択された摘要文を通帳に印字する印字手段とを備えることを特徴とする。
【００１２】
また、本発明は、サーバと通信可能であり、複数の取引形態を利用可能な取引装置における制御方法であって、前記取引装置の受付手段が、利用者による操作部への入力から取引形態の選択を受け付ける受付ステップと、前記取引装置の送信手段が、前記受付ステップによって受け付けた取引形態を前記サーバに送信する送信ステップと、前記取引装置の受信手段が、前記送信ステップで送信した取引形態を示す情報に応じて、前記サーバより抽出された前記取引形態に対応する摘要文を受信する受信ステップと、前記取引装置の表示制御手段が、前記受信ステップによって受信した摘要文の一覧を利用者に選択可能に表示させる表示制御ステップと、前記取引装置の印字手段が、前記表示制御ステップによって表示された前記摘要文の一覧の中から選択された１つの摘要文を通帳に印字する印字ステップとを実行することを特徴とする。
【００１３】
また、本発明は、複数の取引形態を利用可能な取引装置における制御方法であって、前記取引装置の受付手段が、利用者による操作部への入力から取引形態の選択を受け付ける受付ステップと、前記取引装置の記憶手段が、取引形態に対応する摘要文を記憶部に記憶する記憶ステップと、前記取引装置の抽出手段が、前記受付ステップによって受け付けた取引形態に対応する、前記記憶ステップによって記憶された摘要文を記憶部より抽出する抽出ステップと、前記取引装置の選択手段が、前記抽出ステップによって抽出された摘要文を利用者に選択可能に表示させる選択ステップと、前記取引装置の印字手段が、前記選択ステップによって選択された摘要文を通帳に印字する印字ステップとを実行することを特徴とする。
【００１４】
また、本発明は、サーバと通信可能であり、複数の取引形態を利用可能な取引装置を、利用者による操作部への入力から取引形態の選択を受け付ける受付手段と、前記受付手段によって受け付けた取引形態を示す情報を前記サーバに送信する送信手段と、前記送信手段で送信した取引形態を示す情報に応じて、前記サーバより抽出された前記取引形態に対応する摘要文を受信する受信手段と、前記受信手段によって受信した摘要文の一覧を利用者に選択可能に表示させる表示制御手段と、前記表示制御手段によって表示された前記摘要文の一覧の中から選択された１つの摘要文を通帳に印字する印字手段として機能させることを特徴とする。
【００１５】
また、本発明は、複数の取引形態を利用可能な取引装置であって、利用者による操作部への入力から取引形態の選択を受け付ける受付手段と、取引形態に対応する摘要文を記憶部に記憶する記憶手段と、前記受付手段によって受け付けた取引形態に対応する、前記記憶手段によって記憶された摘要文を記憶部より抽出する抽出手段と、前記抽出手段によって抽出された摘要文を利用者に選択可能に表示させる選択手段と、前記選択手段によって選択された摘要文を通帳に印字する印字手段として機能させることを特徴とする。
【００１６】
また、本発明は、サーバと取引装置とが相互に通信可能な、取引システムにおいて、前記サーバは、取引形態に対応する摘要文を記憶部に記憶する記憶手段と、前記記憶手段によって記憶された、前記取引装置より送信される取引形態を示す情報に対応する摘要文を記憶部より抽出する抽出手段と、前記抽出手段によって抽出された摘要文を前記取引装置へ送信する摘要文送信手段とを備え、前記取引装置は、利用者による操作部への入力から取引形態の選択を受け付ける受付手段と、前記受付手段によって受け付けた取引形態を示す情報をサーバに送信する送信手段と、前記送信手段で送信した取引形態を示す情報に応じて、前記サーバより抽出された前記取引形態に対応する摘要文を受信する受信手段と、前記受信手段によって受信した摘要文の一覧を利用者に選択可能に表示させる表示制御手段と、前記表示制御手段によって表示された前記摘要文の一覧の中から選択された１つの摘要文を通帳に印字する印字手段とを備えることを特徴とする。
【発明の効果】
【００１７】
本発明によれば、取引の種類によって画面に表示される摘要文の内容を変える発明を提供することができる。また、利用者が入力した適用文を保存する仕組みを提供し、利用者へのサービス向上を図ることができる。
【発明を実施するための最良の形態】
【００１８】
以下、本発明の実施の形態について図面を参照しながら説明する。
【００１９】
図１は、本実施の形態に係るシステム構成を概略的に示すブロック図である。
【００２０】
本実施形態に係るシステムは、現金自動取引装置１０１と、サーバ１０２と、口座取引管理装置１０３とが、ＬＡＮ等のネットワーク（通信回線網）１０４を介して相互に通信可能に接続された構成となっている。
【００２１】
現金自動取引装置１０１と、サーバ１０２と、口座取引管理装置１０３とは、コンピュータ等の情報処理装置で構成される。
【００２２】
現金自動取引装置１０１は、利用者による取引内容の選択、暗証番号の入力、取引金額の入力、及びサーバ１０２で登録された摘要文の表示を可能とする。
【００２３】
摘要文とは、現金自動取引装置１０１で取引をするときに通帳に印字をするための項目のことである。
【００２４】
サーバ１０２は、図５で後述する５０１摘要文マスタを予め備え、また、現金自動取引装置１０１に表示する摘要文を５０２摘要文データのような形式で登録可能とする。
【００２５】
口座取引管理装置１０３は、記憶部２１１において利用者の口座番号を記憶管理し、利用者による暗証番号入力の整合チェック、及び取引金額の引き出し可否判定を可能とする。
【００２６】
なお、本実施形態ではサーバ１０２及び口座取引管理装置１０３が夫々別の機能構成を備えているが、サーバ１０２と口座取引管理装置１０３の機能構成は同一の装置が備えている構成にしてもよい。また、現金自動取引装置１０１は、それぞれ複数台あっても構わない。
【００２７】
図２は、現金自動取引装置１０１、サーバ１０２及び口座取引管理装置１０３のハードウェア構成を概略的に示すブロック図である。
【００２８】
図２において、２０１はＣＰＵ２０１であり、システムバス２０４に接続される各デバイスやコントローラを統括的に制御する。
【００２９】
また、ＲＯＭ２０２あるいは外部メモリ２１１には、ＣＰＵ２０１の制御プログラムであるＢＩＯＳ(Basic Input / Output System)やオペレーティングシステムプログラム（以下、ＯＳ）や、サーバ或いは各クライアントの実行する機能を実現するために必要な後述する各種プログラム等が記憶されている。
【００３０】
ＲＡＭ２０３は、ＣＰＵ２０１の主メモリ、ワークエリア等として機能する。
【００３１】
ＣＰＵ２０１は、処理の実行に際して必要なプログラム等をＲＡＭ２０３にロードして、プログラムを実行することで各種動作を実現するものである。
【００３２】
また、入力コントローラ（入力Ｃ）２０５は、キーボード２０９や不図示のマウス等のポインティングデバイスからの入力を制御する。
【００３３】
ビデオコントローラ（ＶＣ）２０６は、ディスプレイ２１０への表示を制御する。ディスプレイは、ＣＲＴディスプレイでも液晶ディスプレイ等でも構わない。
【００３４】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ２１１へのアクセスを制御する。
【００３５】
通信Ｉ／Ｆコントローラ（通信Ｉ／ＦＣ）２０８は、ネットワーク１０５を介して、外部機器と接続・通信するものであり、ネットワークでの通信制御処理を実行する。例えば、ＴＣＰ／ＩＰを用いたインターネット通信等が可能である。
【００３６】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。
【００３７】
また、ＣＰＵ２０１は、ディスプレイ２１０上の不図示のマウスカーソル等でのユーザ指示を可能とする。
【００３８】
本発明を実現するためのプログラムは外部メモリ２１１に記録されており、必要に応じてＲＡＭ２０３にロードされることによりＣＰＵ２０１によって実行されるものである。
【００３９】
さらに、本発明に係わるプログラムが用いる各種データ及び各種テーブルは外部メモリ２１１に格納されており、これらについての詳細な説明は後述する。
【００４０】
なお、全ての装置がこれらの構成を備えているわけではなく、必要なものを夫々備えていればよい。
【００４１】
図３は、本実施形態を示すシステムにおけるフローチャート図である。
【００４２】
本実施形態における取引形態の一例として、新券を発券する取引形態を用いて以下を説明する。
【００４３】
まず、ステップ３０１において、現金自動取引装置１０１のＣＰＵ２０１は、取引選択の受付監視状態にて待機し、利用者によって選択された取引内容を受け付ける。
【００４４】
利用者により取引内容が選択されると、ステップ３０２において、現金自動取引装置１０１のＣＰＵ２０１は、通帳（若しくはキャッシュカード）の挿入監視状態にて待機し、利用者によって挿入された通帳を受け付ける。
【００４５】
利用者による通帳（若しくはキャッシュカード）の挿入を受け付けると、ステップ３０３において、現金自動取引装置１０１のＣＰＵ２０１は、暗証番号の入力監視状態にて待機し、利用者によって入力された暗証番号を受け付ける。
【００４６】
暗証番号はタッチパネル機能を有するディスプレイ２１０によって入力されてもよいし、ディスプレイ外の入力ボタンから入力されてもよい。
【００４７】
取引者による暗証番号の入力を受け付けると、口座取引管理装置１０３に送信する。口座取引管理装置１０３のＣＰＵ２０１は、管理されている口座番号と暗証番号との整合チェック（認証）を実行し、暗証番号の整合チェックが承認されると、ステップ３０４に移る。
【００４８】
ステップ３０４において、現金自動取引装置１０１のＣＰＵ２０１は、前記ステップ３０３で行った整合チェックの結果を受信し、記憶部２０２に記憶されている取引金額入力画面（図４の４０１）を取得してＲＡＭ２０３に読み出し、現金自動取引装置１０１の表示部２１０に表示して、取引金額入力の監視状態にて待機し、利用者によって入力された取引金額を受け付ける。
【００４９】
取引者による取引金額の入力を受け付けると、ステップ３０５において、現金自動取引装置１０１のＣＰＵ２０１は、口座取引管理装置１０３に送信する。口座取引管理装置１０３のＣＰＵ２０１は、取引金額の引き出し可否判定を実行する。
【００５０】
口座取引管理装置１０３における判定の方法は、ステップ３０４において利用者により入力された取引金額が、口座に預金されている金額よりも少ない場合に引き出しを可能とし、現金自動取引装置１０１に引出可能であることを通知する。
【００５１】
通知の結果、引出金額が預金されている金額よりも少ない場合、現金自動取引装置１０１のＣＰＵ２０１は、ステップ３０６に進み、引出金額が預金されている金額よりも多い場合は、現金自動取引装置１０１のＣＰＵ２０１は、取引金額の再入力を受け付ける。
【００５２】
利用者による取引金額の入力の可否チェックが承認されると、ステップ３０６において、現金自動取引装置１０１のＣＰＵ２０１は、記憶部２０２に記憶されている取引金額確認画面（図４の４０２）を取得してＲＡＭ２０３に読み出し、現金自動取引装置１０１の表示部２１０に入力された取引金額を表示して、新券ボタン若しくは確認ボタンの押下監視状態にて待機し、利用者によって押下された新券ボタン或いは確認ボタンを受け付ける。
【００５３】
ステップ３０７において、ステップ３０６で監視されている新券ボタン押下の有無判断を行う。新券ボタンの押下有りの場合、ステップ３０８へ分岐する。新券ボタンではなく、確認ボタンが押下有りの場合、後に説明するステップ３０９へ分岐する。
【００５４】
新券ボタンの押下有りの場合、ステップ３０８において、現金自動取引装置１０１のＣＰＵ２０１は、記憶部２０２に記憶されている新券枚数入力画面（図４の４０３）を取得してＲＡＭ２０３に読み出し、現金自動取引装置１０１の表示部２１０に表示し、新券の出力枚数の入力監視状態にて待機し、利用者による新券出力枚数の入力を受け付ける。
【００５５】
確認ボタン押下有りの場合、ステップ３０９において、現金自動取引装置１０１のＣＰＵ２０１は、通帳に印字する摘要文の候補を検索するために現金自動取引装置１０１のシステム日付を取得する。例えば、現金自動取引装置１０１や口座取引管理装置１０３の時間管理装置（不図示）などから取得してもよい。
【００５６】
ステップ３０９で日付を取得すると、現金自動取引装置１０１のＣＰＵ２０１は、取得したシステム日付をサーバ１０２に送信する。
【００５７】
その後、ステップ３１０において、サーバ１０２のＣＰＵ２０１は、サーバ１０２の記憶部２０２に記憶された摘要文マスタ（図５の５０１）の表示開始日及び、表示終了日との比較判断を行う。
【００５８】
ここで、図５の詳細な説明をする。
【００５９】
図５の５０１摘要文マスタは本実施形態ではサーバ１０２において記憶管理され、夫々の摘要文には「表示開始日」「表示終了日」及び「新券フラグ」が予め設定されているものがある。例えば、図５のＮｏ．４の「お年玉」には、「表示開始日」が１１月1日、「表示終了日」が1月３１日に設定されており、「新券フラグ」として１が設定されている。「新券フラグ」が１である摘要文は、ステップ３０７において新券ボタンが押下されると表示対象になる。
【００６０】
図５の５０２摘要文データはステップ３１８で利用者によって入力され、ステップ３１９においてサーバに送信された摘要文を利用者の口座番号と対応付けて記憶管理されたものである。
【００６１】
なお、本実施形態において図５の５０１摘要文マスタ及び５０２摘要文データは口座取引管理装置１０３において管理されていてもよい。
【００６２】
システム日付が摘要文の表示開始日以降でかつ、表示終了日以前の場合、ステップ３１１へ分岐する。システム日付が摘要文の表示開始日以前若しくは表示終了日以後の場合、サーバ１０２のＣＰＵ２０１はその結果を現金自動取引装置１０１のＣＰＵ２０１に送信し、後述するステップ３１６へ分岐する。
【００６３】
システム日付が摘要文の表示開始日以降でかつ、表示終了日以前の場合、ステップ３１１において、サーバ１０２において検索の結果抽出された該当する摘要文を、現金自動取引装置１０１のＣＰＵ２０１は取得する。
【００６４】
ステップ３１２において、現金自動取引装置１０１のＣＰＵ２０１は、ステップ３１１にて抽出して取得した摘要文を摘要文選択画面（図４の４０４）に表示し、摘要文ボタンの押下監視状態にて待機する。
【００６５】
現金自動取引装置１０１のＣＰＵ２０１はステップ３１０において比較された結果を受信し、システム日付が摘要文の表示開始日以前若しくは表示終了日以後の場合、ステップ３１６において、現金自動取引装置１０１のＣＰＵ２０１は、固定の摘要文を画面に表示し（図４の４０７）、摘要文ボタンの押下監視状態にて待機する。
【００６６】
ステップ３１３において、現金自動取引装置１０１のＣＰＵ２０１は、ステップ３１２及びステップ３１６で監視されている摘要文押下の有無判断を行う。取得した摘要文ボタンが押下されなかった（「その他」ボタンが押下された）場合、ステップ３１７へ分岐する。取得した摘要文ボタンが押下された場合、後述するステップ３１４へ分岐する。
【００６７】
ステップ３１７において、現金自動取引装置１０１のＣＰＵ２０１は、記憶部２０２に記憶されている摘要文入力画面（図４の４０５）を表示する。
【００６８】
ステップ３１８において、現金自動取引装置１０１のＣＰＵ２０１は、摘要文入力の監視状態にて待機し、利用者による摘要文の入力を任意の文字列として受け付ける。
【００６９】
ステップ３１９において、現金自動取引装置１０１のＣＰＵ２０１は、入力された摘要文を利用者の口座番号と対応付けて記憶管理するための登録要求をサーバ１０２に送信する。サーバ１０２のＣＰＵ２０１は、利用者の口座番号と対応付けて摘要文テーブル（図５の５０２）として記憶する。
【００７０】
なお、本実施形態において、利用者の口座番号と対応付けて記憶された摘要文テーブルはサーバ１０２に記憶されるものとしているが、口座取引管理装置１０３において記憶され管理されていてもよい。
【００７１】
また、ステップ３１９において口座番号と対応付けて記憶された摘要文は、利用者が次回以降口座取引を行う際に、該当する取引形態を選ぶと前回の使用履歴として表示させるようにしてもよい。
【００７２】
その際、図５の摘要文テーブルに「前回使用日」「使用回数」等の項目（不図示）をもたせ、次回以降の取引のステップ３１１において、「前回使用日」の日付が新しい順に摘要文を取得したり、「使用回数」の数が多い順に摘要文を取得したり、ステップ３１２においてそれらを表示しても良い。
【００７３】
ステップ３１４において、現金自動取引装置１０１のＣＰＵ２０１は、選択/入力された摘要文の内容、及び  取引金額を通帳に印字する。印字が終了すると、ステップ３１５において、現金自動取引装置１０１のＣＰＵ２０１は、通帳、及び、取引金額（新券）を排出する。
【００７４】
本実施形態では、現金自動取引装置１０１、サーバ１０２及び口座取引管理装置１０３が相互に通信して本実施形態の取引を実現した。
【００７５】
しかしながら、ステップ３０３（暗証番号認証）、ステップ３０５（引き出し金額判定）、ステップ３１０（日付と表示可能な摘要文の比較）、ステップ３１１（印字内容取得）、ステップ３１９（印字内容保存）においてサーバ１０２及び口座取引管理装置１０３が処理をする機能を現金自動取引装置１０１が備えている場合は、上記の実施形態を現金自動取引装置１０１のみで実現することも可能である。
【００７６】
また本実施形態では、ステップ３０３（暗証番号認証）、ステップ３０５（引き出し金額判定）はそれぞれ口座取引管理装置１０３が行い、ステップ３１０（日付と表示可能な摘要文の比較）ステップ３１１（印字内容取得）、ステップ３１９（印字内容保存）はそれぞれサーバ１０２が行う構成で記載されているが、この実施形態に限定されるものではなく、ステップ３０３（暗証番号認証）、ステップ３０５（引き出し金額判定）はそれぞれサーバ１０２が、ステップ３１１（印字内容取得）、ステップ３１９（印字内容保存）はそれぞれ口座取引管理装置１０３が行うような構成にしても良い。
【００７７】
以上の構成により、本発明によれば、利用者がどのような摘要文を必要としているのか取引形態に応じて把握し、複数の取引形態が可能な現金自動取引装置がある場合、取引形態に応じて画面に表示される摘要文の内容を変えて表示することができる。そうすることで、利用者は取引内容に応じた内容の摘要文を画面から選択することができる。
【００７８】
また、選択した摘要文或いは利用者自ら入力した摘要文を保存することで、が頻繁に使用する摘要文を容易に表示することができ、利用者の入力の手間を省くことが可能となり、利用者１人当たりの現金自動取引装置の使用時間短縮が期待できる。
【００７９】
具体的には、所定のボタン（新券ボタン）を選択することで新券を発行することができ、さらに新券発行の場合か若しくは通常の取引かによって表示する摘要文を変更し、取引の内容を摘要文から選択することで取引の内訳を通帳に記入し、利用者の会計作業を円滑にさせる仕組みを提供することができる。
【００８０】
なお、上述した各種データの構成及びその内容はこれに限定されるものではなく、用途や目的に応じて、様々な構成や内容で構成されることは言うまでもない。
【００８１】
以上、一実施形態について示したが、本発明は、例えば、システム、装置、方法、プログラム若しくは記録媒体等としての実施態様をとることが可能であり、具体的には、複数の機器から構成されるシステムに適用しても良いし、また、一つの機器からなる装置に適用しても良い。
【図面の簡単な説明】
【００８２】
【図１】本発明の実施の形態に係る情報処理システムのシステム構成を概略的に示すブロック図である。
【図２】図１における情報処理装置のハードウェア構成を概略的に示すブロック図である。
【図３】図１における情報処理装置が実行する引き出し処理の手順を示すフローチャートである。
【図４】図１における情報処理装置が実行する引き出し処理の手順を示す画面である。
【図５】図１における情報処理装置が実行する引き出し処理の摘要文テーブルである。
【符号の説明】
【００８３】
１０１    現金自動取引装置（ＡＴＭ）
１０２    サーバ
１０３    口座取引管理装置
１０４    ネットワーク（通信回線網）
【図１】
2010134819.tif 000003
【図２】
2010134819.tif 000004
【図３】
2010134819.tif 000005
【図４】
2010134819.tif 000006
【図５】
2010134819.tif 000007